(57)【要約】【課題】設置状況等に応じて、電源や映像信号を入力する面を変更可能な投写型表示装置を提供する。【解決手段】筐体２の背面２ｃ、及び側面２ｅには、インターフェイス部１０ｃ，１０ｅがそれぞれ備えられている。各インターフェイス部１０ｃ，１０ｅは、ＰＣ（パーソナルコンピュータ）等から映像信号を入力するミニＤ−Ｓｕｂ１５ピン端子１１、各種映像再生装置等から映像信号を入力するためのＳ端子１２、同じく映像再生装置等から映像信号を入力するためのコンポジット映像端子１３の合計３つの映像端子からなる映像端子群１４と、電源を入力するための電源端子１５とを備えている。各映像端子群１４には、ＰＣや映像再生装置等から信号ケーブル（図示せず）を介して映像信号が供給され、電源端子１５には、図示しないＡＣアダプタによって直流電源に変換された商用電源が電源ケーブル（図示せず）を介して供給される。【選択図】図２
2007233028.tif 000002
【特許請求の範囲】
【請求項１】
入力される映像信号に基づいた映像を投写する映像投写部と、
外部電源が入力される電源端子、及び外部から前記映像信号が入力される映像端子を有し、前記映像投写部を含む装置本体を収容する筐体の複数の面に配置された接続部と、
を備えたことを特徴とする投写型表示装置。
【請求項２】
請求項１に記載の投写型表示装置であって、前記接続部の中から、前記映像投写部に前記映像信号を供給すべき接続部を選択可能な選択部をさらに備えたことを特徴とする投写型表示装置。
【請求項３】
請求項２に記載の投写型表示装置であって、前記接続部に対して前記映像信号が入力されたか否かを検知する検知部をさらに備え、前記選択部は、前記検知部による検知結果に基づいて、前記接続部を選択することを特徴とする投写型表示装置。
【請求項４】
請求項３に記載の投写型表示装置であって、前記接続部にそれぞれ割り当てられた優先順位を記憶する記憶部をさらに備え、前記選択部は、前記検知部で信号入力が検知された接続部の中から、前記記憶部に記憶されている優先順位に従って前記接続部を選択することを特徴とする投写型表示装置。
【請求項５】
入力される映像信号に基づいた映像を投写する映像投写部と、
外部電源が入力される電源端子、及び外部から前記映像信号が入力される映像端子を有し、前記映像投写部を含む装置本体を収容する筐体の複数の面に対して着脱可能な接続部と、
を備えたことを特徴とする投写型表示装置。
【請求項６】
請求項５に記載の投写型表示装置であって、前記筐体の複数の面に、前記接続部を接続するためのコネクタを備えたことを特徴とする投写型表示装置。
【発明の詳細な説明】
【技術分野】
【０００１】
本発明は、外部から入力される映像信号に応じた映像を投写する投写型表示装置に関する。
【背景技術】
【０００２】
映像信号に応じた映像を投写するプロジェクタ等の投写型表示装置には、外部から映像信号の供給を受けるための映像端子（コネクタ）や、電源の供給を受けるための電源端子（インレットコネクタ）が備えられている（例えば、特許文献１参照）。映像端子には、外部の映像供給装置（ビデオ機器やパーソナルコンピュータ等）がケーブルを介して接続され、電源端子には、商用電源からの電源供給を行うための電源ケーブルが接続される。
【０００３】
【特許文献１】特開２００３−２１５７００号公報
【発明の開示】
【発明が解決しようとする課題】
【０００４】
しかしながら、これらの映像端子や電源端子は、筐体の１つの面（通常は、背面）にのみ備えられているため、当該面が壁面等に近接している場合等、投写型表示装置の設置状況によっては、ケーブルの接続作業や離脱作業が困難になる場合があった。また、映像供給装置やコンセントとの位置関係によっては、ケーブルを前記面まで迂回させて接続しなければならず、引き回されるケーブルが邪魔になったり、室内の美観を損ねたりすることがあった。
【０００５】
本発明は上記問題に鑑みてなされたものであり、その目的は、設置状況等に応じて、電源や映像信号を入力する面を変更可能な投写型表示装置を提供することにある。
【課題を解決するための手段】
【０００６】
本発明の投写型表示装置は、入力される映像信号に基づいた映像を投写する映像投写部と、外部電源が入力される電源端子、及び外部から前記映像信号が入力される映像端子を有し、前記映像投写部を含む装置本体を収容する筐体の複数の面に配置された接続部とを備えたことを特徴とする。
【０００７】
この投写型表示装置によれば、電源端子及び映像端子を有する接続部が複数の面に備えられているため、装置の設置状況等に応じて、使用する接続部、即ち電源や映像信号を入力する面を変更することが可能となる。
【０００８】
この投写型表示装置において、前記接続部の中から、前記映像投写部に前記映像信号を供給すべき接続部を選択可能な選択部をさらに備えることが望ましい。
【０００９】
この投写型表示装置によれば、映像投写部に映像信号を供給すべき接続部を選択可能な選択部を備えているため、各接続部が備える映像端子同士を短絡させる必要がない。このため、複数の接続部に同時に映像信号が入力された場合でも、これらの信号が衝突することがなくなる。
【００１０】
この投写型表示装置において、前記接続部に対して前記映像信号が入力されたか否かを検知する検知部をさらに備え、前記選択部は、前記検知部による検知結果に基づいて、前記接続部を選択することが望ましい。
【００１１】
この投写型表示装置によれば、選択部が検知部による検知結果に基づいて接続部を選択するため、映像信号が入力されていない接続部が選択されるのを抑制することが可能となり、利便性が向上する。
【００１２】
この投写型表示装置において、前記接続部にそれぞれ割り当てられた優先順位を記憶する記憶部をさらに備え、前記選択部は、前記検知部で信号入力が検知された接続部の中から、前記記憶部に記憶されている優先順位に従って前記接続部を選択するようにしてもよい。
【００１３】
本発明の投写型表示装置は、入力される映像信号に基づいた映像を投写する映像投写部と、外部電源が入力される電源端子、及び外部から前記映像信号が入力される映像端子を有し、前記映像投写部を含む装置本体を収容する筐体の複数の面に対して着脱可能な接続部とを備えたことを特徴とする。
【００１４】
この投写型表示装置によれば、電源端子及び映像端子を有する接続部が複数の面に着脱可能になっているため、装置の設置状況等に応じて、接続部を装着する面、即ち電源や映像信号を入力する面を変更することが可能となる。
【００１５】
この投写型表示装置において、前記筐体の複数の面に、前記接続部を接続するためのコネクタを備えることが望ましい。
【００１６】
この投写型表示装置によれば、筐体の複数の面に備えられたコネクタによって接続部を接続するため、接続部の付け替え（接続部を装着する面の変更）を容易に行うことが可能となる。
【発明を実施するための最良の形態】
【００１７】
（第１実施形態）
以下、本発明の第１実施形態について、図面を参照して説明する。
図１及び図２は、本実施形態の投写型表示装置としてのプロジェクタを示す斜視図であり、図１は、前面側から、図２は、背面側から見た図を示している。
【００１８】
両図に示すように、プロジェクタ１は、その本体が筐体２で覆われた構成を有しており筐体２の前面２ａには、前方に備えられる図示しないスクリーン等に対して映像（光学像）を投写することが可能な投写レンズ２３が露出している。筐体２の上面２ｂには、操作部３１が設けられている。操作部３１は、電源のオン・オフを行うための電源キーや、投写映像上にメニュー画像を合成表示するためのメニューキー、入力ソースを切り換えるためのソースキー等、複数のキーを備えており、ユーザは、操作部３１上の各キーを操作することにより、プロジェクタ１に対して各種指示を行うことができる。
【００１９】
筐体２の外面で、異なる方向に面する３つの面（背面２ｃ、及び両側面２ｄ，２ｅ）には、接続部としてのインターフェイス部１０ｃ，１０ｄ，１０ｅがそれぞれ備えられている。各インターフェイス部１０ｃ，１０ｄ，１０ｅは、ＰＣ（パーソナルコンピュータ）等から映像信号を入力するミニＤ−Ｓｕｂ１５ピン端子１１、各種映像再生装置等から映像信号を入力するためのＳ端子１２、同じく映像再生装置等から映像信号を入力するためのコンポジット映像端子１３の合計３つの映像端子からなる映像端子群１４と、電源を入力するための電源端子１５とを備えている。各映像端子群１４には、ＰＣや映像再生装置等から信号ケーブル（図示せず）を介して映像信号が供給され、電源端子１５には、図示しないＡＣアダプタによって直流電源に変換された商用電源が電源ケーブル（図示せず）を介して供給される。
【００２０】
図３は、プロジェクタ本体（装置本体）の概略構成を示すブロック図である。
図３に示すように、プロジェクタ１の本体は、上述した操作部３１及びインターフェイス部１０ｃ，１０ｄ，１０ｅに加えて、映像の投写を行う映像投写部２０と、制御部３０と、映像信号切換部３２と、映像信号処理部３３と、映像信号検知部３４と、電源部３５とを有している。
【００２１】
映像投写部２０は、超高圧水銀ランプやメタルハライドランプ等の放電型光源ランプからなる光源２１と、光変調装置としての液晶ライトバルブ２２と、上述した投写レンズ２３と、ライトバルブ駆動部２４とを備えている。液晶ライトバルブ２２には、複数の画素がマトリクス状に形成されており、ライトバルブ駆動部２４が、入力した映像信号に基づいて液晶ライトバルブ２２を駆動することにより、光源２１から射出した光は、液晶ライトバルブ２２で画素毎に変調され、映像信号に応じた光学像が形成される。形成された光学像は、投写レンズ２３によってスクリーンＳＣ等に向けて拡大投写される。
【００２２】
なお、図示は省略しているが、光源２１と液晶ライトバルブ２２の間の光路には、光源光を３色（赤、緑、青）の色光Ｒ，Ｇ，Ｂに分離する光分離光学系が配置されており、分離された各色光Ｒ，Ｇ，Ｂをそれぞれ変調するために、液晶ライトバルブ２２は３つ備えられている。また、液晶ライトバルブ２２と投写レンズ２３の間の光路には、変調された各色光Ｒ，Ｇ，Ｂを合成するクロスダイクロイックプリズム等の光合成光学系が配置されており、合成されたカラーの光学像が投写レンズ２３から射出する。
【００２３】
制御部３０は、ＣＰＵ（Central Processing Unit）３０ａ、フラッシュＲＯＭ（Read Only Memory）等の書き換え可能な不揮発性メモリからなるＲＯＭ３０ｂ、各種データの一時記憶等に用いられるＲＡＭ（Random Access Memory）３０ｃ等を備え、コンピュータとして機能するものである。制御部３０は、ＣＰＵ３０ａがＲＯＭ３０ｂに記憶されている制御プログラムに従って動作することにより、プロジェクタ１の動作を統括制御する。なお、ＲＯＭ３０ｂは、上記制御プログラムの他に、各種設定値等を記憶するものであり、本発明の記憶部に相当する。
【００２４】
操作部３１は、上述したようにプロジェクタ１に対して各種指示を行うためのものであり、ユーザが操作部３１を操作すると、操作部３１は、ユーザの操作内容に応じた操作信号を制御部３０に出力する。なお、操作部３１に代えて、或いは操作部３１とともに、遠隔操作が可能なリモコン（図示せず）を備えた構成としてもよい。この場合、リモコンは、ユーザの操作内容に応じた赤外線の操作信号を発し、図示しないリモコン信号受信部がこれを受信して制御部３０に伝達する。
【００２５】
３つのインターフェイス部１０ｃ，１０ｄ，１０ｅがそれぞれ備える映像端子群１４は、互いに絶縁した状態で映像信号切換部３２に接続されている。映像信号切換部３２は、３つのインターフェイス部１０ｃ，１０ｄ，１０ｅの中から、制御部３０からの指示に基づく１つのインターフェイス部を選択して、当該インターフェイス部の映像端子群１４に入力される映像信号を映像信号処理部３３に出力するものであり、本発明の選択部に相当する。
【００２６】
映像信号処理部３３は、制御部３０の指示に基づいて、入力された映像信号に対して、データ形式の変換や、解像度を液晶ライトバルブ２２の解像度（画素数）に合わせる解像度変換、輝度調整、コントラスト調整、シャープネス調整等の各種画質調整、或いは、メニューやメッセージ等のＯＳＤ（オンスクリーンディスプレイ）画像を合成する処理等を施し、処理後の映像信号をライトバルブ駆動部２４に出力する。ライトバルブ駆動部２４は、この映像信号に基づいて液晶ライトバルブ２２を駆動する。
【００２７】
映像信号検知部３４は、各映像端子群１４に入力される映像信号の有無を検知して、検知結果を制御部３０に出力するものであり、本発明の検知部に相当する。
【００２８】
３つのインターフェイス部１０ｃ，１０ｄ，１０ｅがそれぞれ備える電源端子１５は、その正極がダイオード１６のアノードに接続され、図示しない負極は接地される。各ダイオード１６のカソードは互いに短絡されて電源部３５に接続されている。電源部３５は、電源端子１５に入力される直流電源から、プロジェクタ１の動作に必要な各種電源電圧（制御部３０等の動作に必要な動作電圧や、光源２１の点灯に必要な光源電圧等）を生成し、適宜各部に供給する。
【００２９】
プロジェクタ１は、上記のような構成を有しており、制御部３０は、映像信号検知部３４の検知結果に基づいて、どのインターフェイス部１０ｃ，１０ｄ，１０ｅに映像信号が入力されているかを定期的に判断する。この結果、いずれか１つのインターフェイス部にのみ映像信号が入力されている場合には、制御部３０が映像信号切換部３２に指示をして、当該インターフェイス部を選択させることにより、当該インターフェイス部に入力される映像信号に基づいた映像がスクリーンＳＣ等に投写される。
【００３０】
また、制御部３０のＲＯＭ３０ｂには、３つのインターフェイス部１０ｃ，１０ｄ，１０ｅの優先順位を示す優先順位情報が予め記憶されており、映像信号検知部３４が複数のインターフェイス部に映像信号が入力されていることを検知すると、制御部３０は、映像信号が入力されているインターフェイス部の中から、優先順位情報に基づいて、優先順位が上位のインターフェイス部を選択するよう映像信号切換部３２に指示をする。この結果、映像信号が入力されているインターフェイス部のうち、優先順位が上位のインターフェイス部に入力されている映像信号に基づいた映像が投写される。
【００３１】
なお、ユーザが操作部３１のメニューキーを操作して、各種設定変更を行うためのメニュー画像を表示させた後、適宜操作部３１を操作することにより、ＲＯＭ３０ｂに記憶されている優先順位を変更することが可能になっている。また、ユーザが操作部３１を操作することにより、映像信号切換部３２に優先順位が低位のインターフェイス部を選択させ、当該インターフェイス部に入力されている映像信号に基づいた映像を投写することも可能である。
【００３２】
また、映像信号切換部３２によって選択されたインターフェイス部が備える３つの映像端子１１，１２，１３のうち、どの映像端子に入力された映像信号を映像信号処理部３３に出力するかについては、従来のプロジェクタや映像表示装置（テレビ受像機など）に用いられる既知の技術を利用することが可能である。このため、本明細書及び図面には記載を省略するが、例えば、操作部３１（ソースキー）の操作に応じて映像信号を切り換える切換手段を備えてもよいし、インターフェイス部を選択する場合と同様、各映像端子１１，１２，１３に優先順位を定めて、これに従って映像端子を選択するようにしてもよい。
【００３３】
以上説明したように、本実施形態のプロジェクタ１によれば、以下の効果を得ることができる。
（１）本実施形態のプロジェクタ１によれば、映像端子群１４及び電源端子１５を有するインターフェイス部１０ｃ，１０ｄ，１０ｅが複数の面に備えられているため、装置の設置状況等に応じて、使用するインターフェイス部を選択することが可能となる。このため、ケーブルの接続や離脱を容易に行うことできる面のインターフェイス部を選択したり、ケーブルが邪魔になったり美観を損ねたりすることがない面のインターフェイス部を選択したりすることが可能となる。
【００３４】
（２）本実施形態のプロジェクタ１によれば、複数のインターフェイス部１０ｃ，１０ｄ，１０ｅの中から、映像投写部２０に映像信号を供給すべき１つのインターフェイス部を選択可能な映像信号切換部３２を備えているため、各インターフェイス部１０ｃ，１０ｄ，１０ｅが備える映像端子群１４を短絡させる必要がない。このため、複数のインターフェイス部に同時に映像信号が入力された場合でも、これらの信号が衝突することがなくなる。
【００３５】
（３）本実施形態のプロジェクタ１によれば、映像信号切換部３２が映像信号検知部３４による検知結果に基づいてインターフェイス部を選択するため、映像信号が入力されていないインターフェイス部が選択されるのを抑制することが可能となり、利便性が向上する。
（第２実施形態）
以下、本発明の第２実施形態について、図面を参照して説明する。本実施形態のプロジェクタは、インターフェイス部が筐体から分離可能な構成を有している。
図４〜図６は、本実施形態の投写型表示装置としてのプロジェクタを示す斜視図であり、図４は前面側から、図５は背面側から見た図を示している。また、図６は、底面側から見た図であり、インターフェイス部が装着された状態を示している。
【００３６】
図４に示すように、プロジェクタ１は、前記第１実施形態と同様、本体が筐体２で覆われた構成を有しており、その前面２ａには投写レンズ２３が露出し、その上面２ｂには操作部３１が備えられている。また、図６に示すように、筐体２の底面２ｆには、その前方側の左右両側に前方脚部３ａが備えられ、後方側の略中央に後方脚部３ｂが備えられており、プロジェクタ１を机上等に載置する際には、プロジェクタ１は、これら３つの脚部３ａ，３ｂで支持される。また、筐体２の底面２ｆには、複数のねじ穴４が設けられており、プロジェクタ１を天井等に設置する際に用いられる取り付け部材（天吊金具）を固定することが可能になっている。この天吊金具を用いることにより、プロジェクタ１を、その天地を反転させた状態で天井に固定することができる。
【００３７】
ここで、図４及び図５に示すように、筐体２の外面で、異なる方向に面する４つの面（背面２ｃ、両側面２ｄ，２ｅ、及び底面２ｆ）には、各面から内側に向かって窪んだ形状の凹部５ｃ，５ｄ，５ｅ，５ｆがそれぞれ形成されており、インターフェイス部１０を選択的に装着することが可能になっている。
【００３８】
インターフェイス部１０は、１台のプロジェクタ１に１つ備えられるものであり、筐体２に形成された４つの凹部５ｃ，５ｄ，５ｅ，５ｆのいずれか１ヶ所に装着されることになる。インターフェイス部１０の表面（図５参照）には、前記第１実施形態と同様、３種の映像端子１１，１２，１３からなる映像端子群１４と、電源端子１５とが備えられており、インターフェイス部１０の裏面（図４参照）には、映像端子群１４や電源端子１５に入力される映像信号や電源をプロジェクタ１の本体に供給するために、多数の接触子（ピン）を備えたコネクタ１７が配設されている。つまり、インターフェイス部１０の内部では、映像端子群１４や電源端子１５が備える各接触子を、コネクタ１７が備える各接触子に接続するための配線がなされている。
【００３９】
各凹部５ｃ〜５ｆの底面（内側の面）には、コネクタ１７と対をなすコネクタ６が配設されており、インターフェイス部１０を凹部５ｃ〜５ｆのいずれかに装着すると、２つのコネクタ１７，６が嵌合し、外部から入力される映像信号や電源をプロジェクタ１の本体に供給することができる。また、凹部５ｃ〜５ｆは、カバー部材７で閉塞可能になっており、インターフェイス部１０が装着されない３つの凹部をカバー部材７で塞ぐことにより、コネクタ６を保護するとともに、凹部５ｃ〜５ｆによってプロジェクタ１の美観が損なわれるのを抑制できるようになっている。
【００４０】
図７は、本実施形態のプロジェクタ本体（装置本体）の概略構成を示すブロック図であり、筐体２の背面２ｃの凹部５ｃにインターフェイス部１０が装着された状態を示している。
図７に示すように、各凹部５ｃ〜５ｆに備えられたコネクタ６の映像信号が入力される部位（接触子６ａ）は、互いに短絡されて映像信号処理部３３に接続され、各コネクタ６の電源が入力される部位（接触子６ｂ）は、ダイオード１６を介して電源部３５に接続されている。
【００４１】
本実施形態では、映像信号を入力するためのインターフェイス部１０が、１台のプロジェクタ１に１つのみ備えられることから、複数のコネクタ６から同時に映像信号が入力されることがないため、各コネクタ６の接触子６ａ同士を短絡させても映像信号が衝突することはない。ただし、他のプロジェクタ１が備えるべきインターフェイス部１０が誤って装着される場合のように、１台のプロジェクタ１に複数のインターフェイス部１０が接続される恐れがある場合には、前記第１実施形態と同様、映像信号切換部３２を備え、映像信号を切り換えるようにするのが望ましい。
【００４２】
図８は、本実施形態のプロジェクタ１を天井に設置した状態を示す側面図である。
図８に示すように、プロジェクタ１を天井Ｒに設置する際には、筐体２の底面２ｆの凹部５ｆにインターフェイス部１０を装着するとともに、プロジェクタ１の天地を反転させ、筐体２の底面２ｆが上方に向くような状態として、天吊金具Ｔによってプロジェクタ１を天井Ｒに固定する。さらに、インターフェイス部１０の映像端子群１４や電源端子１５に接続すべきケーブルＣｖ，Ｃｐを天井Ｒの裏側を通して配線すれば、ユーザからはケーブルＣｖ，Ｃｐが見え難くなり、室内の美観が損なわれるのを抑制することが可能となる。
【００４３】
以上説明したように、本実施形態のプロジェクタ１によれば、以下の効果を得ることができる。
（１）本実施形態のプロジェクタ１によれば、映像端子群１４及び電源端子１５を有するインターフェイス部１０が複数の面に装着可能になっているため、インターフェイス部１０を装着する面を、装置の設置状況等に応じて選択することが可能となる。このため、ケーブルの接続や離脱を容易に行うことができる面にインターフェイス部１０を装着したり、ケーブルが邪魔になったり美観を損ねたりすることがない面にインターフェイス部１０を装着したりすることが可能となる。
【００４４】
（２）本実施形態のプロジェクタ１によれば、インターフェイス部１０が、筐体２の複数の面に備えられたコネクタ６によって接続されるようになっているため、インターフェイス部１０の付け替え（装着する面の変更）を容易に行うことが可能となる。なお、インターフェイス部１０からケーブルを引き抜く際にインターフェイス部１０ごと離脱することがないよう、嵌合力（接触圧）が十分に大きなコネクタ６，１７を用いたり、インターフェイス部１０を筐体２に固定（ねじ止め等）したりすることが望ましい。
【００４５】
（変形例）
なお、本発明の実施形態は、以下のように変更してもよい。
前記第１実施形態では、映像信号切換部３２は、制御部３０の指示に基づいて、即ち、映像信号検知部３４による検知結果やＲＯＭ３０ｂに記憶されている優先順位情報に基づいて映像信号の切換を行っているが、ユーザが手動で切換可能なスイッチ等を映像信号切換部３２として用いるようにしてもよい。
【００４６】
前記第１実施形態において、使用しないインターフェイス部をカバー部材で覆う構成とすることにより、各端子を保護するとともに、インターフェイス部の露出によってプロジェクタ１の美観が損なわれるのを抑制するようにしてもよい。
【００４７】
前記実施形態では、投写型表示装置として、プロジェクタを例に説明しているが、透過型のスクリーンを一体的に備え、当該スクリーンの背面側から映像の投写を行うリアプロジェクタに適用することも可能である。
【００４８】
前記実施形態では、透過型の液晶ライトバルブ２２を用いて光源光の変調を行っているが、反射型の液晶ライトバルブ等、反射型の光変調装置を用いることも可能である。また、入射した光の射出方向を、画素としてのマイクロミラー毎に制御することにより、光源光を変調する微小ミラーアレイデバイス等を用いることもできる。また、光源としては、放電型光源ランプに限られず、ＬＥＤ（発光ダイオード）からなるＬＥＤ光源等、他の光源を用いてもよい。
【図面の簡単な説明】
【００４９】
【図１】第１実施形態のプロジェクタを示す斜視図。
【図２】第１実施形態のプロジェクタを示す斜視図。
【図３】第１実施形態のプロジェクタ本体の概略構成を示すブロック図。
【図４】第２実施形態のプロジェクタを示す斜視図。
【図５】第２実施形態のプロジェクタを示す斜視図。
【図６】第２実施形態のプロジェクタを示す斜視図。
【図７】第２実施形態のプロジェクタ本体の概略構成を示すブロック図。
【図８】第２実施形態のプロジェクタを天井に設置した状態を示す側面図。
【符号の説明】
【００５０】
１…プロジェクタ、２…筐体、５ｃ〜５ｆ…凹部、６…コネクタ、７…カバー部材、１０，１０ｃ〜１０ｅ…インターフェイス部、１１…ミニＤ−Ｓｕｂ１５ピン端子（映像端子）、１２…Ｓ端子（映像端子）、１３…コンポジット映像端子（映像端子）、１４…映像端子群、１５…電源端子、１６…ダイオード、１７…コネクタ、２０…映像投写部、２１…光源、２２…液晶ライトバルブ、２３…投写レンズ、２４…ライトバルブ駆動部、３０…制御部、３０ａ…ＣＰＵ、３０ｂ…ＲＯＭ、３０ｃ…ＲＡＭ、３１…操作部、３２…映像信号切換部、３３…映像信号処理部、３４…映像信号検知部、３５…電源部。
【図１】
2007233028.tif 000003
【図２】
2007233028.tif 000004
【図３】
2007233028.tif 000005
【図４】
2007233028.tif 000006
【図５】
2007233028.tif 000007
【図６】
2007233028.tif 000008
【図７】
2007233028.tif 000009
【図８】
2007233028.tif 000010